(57)【特許請求の範囲】
【請求項１】
建設機械の運転室前面に設けられ天井側に移動することにより開放される開閉式の前窓と、運転室天井に設けられた天窓とを備える運転室に設けられるサンシェード装置であって、
サンシェードと、
前記サンシェードの引出し側端部と基端部とのうち前記基端部が固定され、前記サンシェードを収納するために前記前窓の閉塞時における前記前窓の上端側に設けられたブラケットと、
前記サンシェードの引出し側端部に設けられ、引き出された前記サンシェードを固定する固定具と、
前記運転室における前記天窓の後端部近傍に設けられ、前記閉塞時に引き出された前記サンシェードの前記固定具を受ける第一固定具受けと、
前記閉塞時において前記ブラケットよりも下端側の前記前窓に設けられ、前記前窓の開放時に引き出された前記サンシェードが前記天窓の少なくとも一部を覆う位置において前記サンシェードの前記固定具を受ける第二固定具受けと、
を備え、
前記ブラケットのサンシェード取り出し口には、前記閉塞時において前記サンシェードの前記引出し側端部を前記第一固定具受けの方向へ引き出す場合に前記サンシェードを支持するとともに、前記開放時において前記サンシェードの前記引出し側端部を前記第二固定具受けの方向への引き出す場合に前記サンシェードを支持する支持機構が設けられていることを特徴とする建設機械のサンシェード装置。
【請求項２】
前記支持機構は、前記サンシェードの第一面に接する第一ローラと前記サンシェードの第二面に接する第二ローラとを備え、
第一ローラ及び前記第二ローラは、前記サンシェードの引き出しに伴って回転することにより前記サンシェードの引き出しを支持することを特徴とする請求項１記載の建設機械のサンシェード装置。
【請求項３】
前記第二固定具受けは、前記開放時に引き出された前記サンシェードが前記天窓の全体を覆う位置において前記前窓に設けられていることを特徴とする請求項１記載の建設機械のサンシェード装置。
【請求項４】
下部走行体と、
前記下部走行体の上側に搭載された機械本体と、
を備える建設機械であって、
前記機械本体には、運転室前面に設けられ天井側に移動することにより開放される開閉式の前窓と、運転室天井に設けられた天窓とを備える運転室が設けられており、
前記運転室には、サンシェード装置が設けられており、
前記サンシェード装置は、
サンシェードと、
前記サンシェードの引出し側端部と基端部とのうち前記基端部が固定され、前記サンシェードを収納するために前記前窓の閉塞時における前記前窓の上端側に設けられたブラケットと、
前記サンシェードの引出し側端部に設けられ、引き出された前記サンシェードを固定する固定具と、
前記運転室における前記天窓の後端部近傍に設けられ、前記閉塞時に引き出された前記サンシェードの前記固定具を受ける第一固定具受けと、
前記閉塞時において前記ブラケットよりも下端側の前記前窓に設けられ、前記前窓の開放時に引き出された前記サンシェードが前記天窓の少なくとも一部を覆う位置において前記サンシェードの前記固定具を受ける第二固定具受けと、
を有し、
前記ブラケットのサンシェード取り出し口には、前記閉塞時において前記サンシェードの前記引出し側端部を前記第一固定具受けの方向へ引き出す場合に前記サンシェードを支持するとともに、前記開放時において前記サンシェードの前記引出し側端部を前記第二固定具受けの方向への引き出す場合に前記サンシェードを支持する支持機構が設けられていることを特徴とする建設機械。
【発明の詳細な説明】
【技術分野】
【０００１】
本発明は、建設機械の運転室に設けられるサンシェード装置に関する。
【背景技術】
【０００２】
油圧ショベル等の建設機械の中には、開閉式の前窓を運転室に備えるものが存在する（例えば、特許文献１）。特許文献１では、開閉式の前窓（１）がキャビン（４）の前面に設けられており、キャビン（４）の天井側に移動することにより開放される。
【先行技術文献】
【特許文献】
【０００３】
【特許文献１】特開２００７−１３８４７９号公報
【発明の概要】
【発明が解決しようとする課題】
【０００４】
ところで、建設機械の運転室には、上述の開閉式の前窓に加え、天窓を運転室天井に備えるものも存在する。
【０００５】
かかる運転室では、作業時の視界性は広がるものの、作業内容によっては運転室内に差し込む日光により作業性が低下したり運転室内の温度が上昇したりする可能性が有る。
【０００６】
そこで本発明は、開閉式の前窓と天窓とを備える運転室において、前窓の開閉状態にかかわらず、天窓から差し込む日光を遮光することが可能な技術を提供することを目的とする。
【課題を解決するための手段】
【０００７】
上記目的を達成するために、本発明は、建設機械の運転室前面に設けられ天井側に移動することにより開放される開閉式の前窓と、運転室天井に設けられた天窓とを備える運転室に設けられるサンシェード装置であって、サンシェードと、前記サンシェードの引出し側端部と基端部とのうち前記基端部が固定され、前記サンシェードを収納するために前記前窓の閉塞時における前記前窓の上端側に設けられたブラケットと、前記サンシェードの引出し側端部に設けられ、引き出された前記サンシェードを固定する固定具と、前記運転室における前記天窓の後端部近傍に設けられ、前記閉塞時に引き出された前記サンシェードの前記固定具を受ける第一固定具受けと、前記閉塞時において前記ブラケットよりも下端側の前記前窓に設けられ、前記前窓の開放時に引き出された前記サンシェードが前記天窓の少なくとも一部を覆う位置において前記サンシェードの前記固定具を受ける第二固定具受けとを備え、前記ブラケットのサンシェード取り出し口には、前記閉塞時において前記サンシェードの前記引出し側端部を前記第一固定具受けの方向へ引き出す場合に前記サンシェードを支持するとともに、前記開放時において前記サンシェードの前記引出し側端部を前記第二固定具受けの方向への引き出す場合に前記サンシェードを支持する支持機構が設けられていることを特徴とする建設機械のサンシェード装置を提供している。
【０００９】
また、前記支持機構は、前記サンシェードの第一面に接する第一ローラと前記サンシェードの第二面に接する第二ローラとを備え、第一ローラ及び前記第二ローラは、前記サンシェードの引き出しに伴って回転することにより前記サンシェードの引き出しを支持するのが好ましい。
【００１０】
また、前記第二固定具受けは、前記開放時に引き出された前記サンシェードが前記天窓の全体を覆う位置において前記前窓に設けられているのが好ましい。
【００１１】
また、本発明は、下部走行体と、前記下部走行体の上側に搭載された機械本体とを備える建設機械であって、前記機械本体には、運転室前面に設けられ天井側に移動することにより開放される開閉式の前窓と、運転室天井に設けられた天窓とを備える運転室が設けられており、前記運転室には、サンシェード装置が設けられており、前記サンシェード装置は、サンシェードと、前記サンシェードの引出し側端部と基端部とのうち前記基端部が固定され、前記サンシェードを収納するために前記前窓の閉塞時における前記前窓の上端側に設けられたブラケットと、前記サンシェードの引出し側端部に設けられ、引き出された前記サンシェードを固定する固定具と、前記運転室における前記天窓の後端部近傍に設けられ、前記閉塞時に引き出された前記サンシェードの前記固定具を受ける第一固定具受けと、前記閉塞時において前記ブラケットよりも下端側の前記前窓に設けられ、前記前窓の開放時に引き出された前記サンシェードが前記天窓の少なくとも一部を覆う位置において前記サンシェードの前記固定具を受ける第二固定具受けとを有し、前記ブラケットのサンシェード取り出し口には、前記閉塞時において前記サンシェードの前記引出し側端部を前記第一固定具受けの方向へ引き出す場合に前記サンシェードを支持するとともに、前記開放時において前記サンシェードの前記引出し側端部を前記第二固定具受けの方向への引き出す場合に前記サンシェードを支持する支持機構が設けられていることを特徴とする建設機械をさらに提供している。
【発明の効果】
【００１２】
請求項１記載のサンシェード装置によれば、開閉式の前窓と天窓とを備える運転室において、前窓の開閉状態にかかわらず、天窓から差し込む日光を遮光することが可能である。また、ブラケットのサンシェード取り出し口に支持機構が設けられているため、サンシェードをブラケットからスムーズに取り出すことが可能である。
【００１４】
請求項２記載のサンシェード装置によれば、サンシェードの引き出しに伴って回転する第一ローラ及び第二ローラによってサンシェードをより滑らかに取り出すことが可能である。
【００１５】
請求項３記載のサンシェード装置によれば、サンシェードによって天窓全体を覆うことより、天窓から差し込む日光をより確実に遮光することが可能である。
【００１６】
請求項４記載の建設機械によれば、開閉式の前窓と天窓とを備える運転室において、天窓から差し込む日光を遮光することが可能である。
【図面の簡単な説明】
【００１７】
【図１】本発明の実施形態による油圧ショベルを示す概略側面図。
【図２】油圧ショベルの運転室を示す側面図。
【図３】前窓閉塞時におけるサンシェード装置を示す概略図。
【図４】前窓開放時におけるサンシェード装置を示す概略図。
【図５】サンシェード装置のうちブラケット及びサンシェードを示す斜視図。
【図６】図５のＶＩ−ＶＩ線断面図。
【図７】前窓閉塞時にサンシェードが引き出される様子を示す図。
【図８】前窓開放時にサンシェードが引き出される様子を示す図。
【図９】前窓閉塞時において前窓を遮光したサンシェード装置を示す概略図。
【図１０】変形例に係るサンシェード装置を示す概略図。
【発明を実施するための形態】
【００１８】
本発明の実施形態によるサンシェード装置について図１乃至図９に基づき説明する。以下、建設機械の一例として、油圧ショベル１を例にとって説明する。なお、各図面では、必要に応じて前後方向及び左右方向を定義している。
【００１９】
図１に示すように、油圧ショベル１は、クローラ式の下部走行体２と、その上側に搭載される機械本体３とを備えている。機械本体３は、下部走行体２に対して鉛直軸まわりに旋回可能であり、上部旋回体とも称される。この機械本体３には、オペレータが乗り込む運転室（キャブ）４が設けられている。
【００２０】
図２に示すように、運転室４は、開閉式の前窓５と、運転室天井４Ｕに設けられた天窓６と、前窓５の開閉に用いられるガイドレール８とを備えている。
【００２１】
前窓５は、運転室前面４Ｆに設けられており、運転室天井４Ｕ側に移動することにより開放される。前窓５は、ガイドレール８上を移動するためのローラ５１，５２を備えている。オペレータによって所定の操作が行われると、前窓５は、運転室前面４Ｆに位置する閉塞位置から運転室天井４Ｕに位置する開放位置へ移動し、開放される。なお、図２では、閉塞位置における前窓５を実線で表し、中間位置及び開放位置における前窓５を点線で表している。
【００２２】
図３及び図４に示すように、運転室４には、サンシェード装置７が設けられている。なお、図３及び図４では、説明簡略化のため、ガイドレール８等の構成を省略している。
【００２３】
サンシェード装置７は、サンシェード７１と、ブラケット７３と、フック７５と、フック掛け７７ａ，７７ｂとを備えている。
【００２４】
サンシェード７１は、天窓６から差し込む日光を遮光するための遮光部材である。サンシェード７１には、ＡＢＳ樹脂やポリ塩化ビニル（ＰＶＣ）等の難燃性の素材が用いられる。
【００２５】
ブラケット７３は、サンシェード７１を収納するための収納具として、前窓５上部の横フレームに設けられる部材である。
【００２６】
フック７５は、サンシェード７１の引出し側端部７１ｅに設けられ、引き出されたサンシェード７１を固定するための部材である。図５に示すように、ここでは、フック７５として、３６０度回転自在な回転フックが用いられる。なお、フック７５は、本発明に係る固定具の一例である。
【００２７】
図３に示すように、フック掛け７７ａは、前窓５の閉塞時においてブラケット７３から引き出されたサンシェード７１のフック７５を引っ掛けるための部材である。ここでは、フック掛け７７ａは、天窓６の後端より若干後側の天井に設けられている。なお、フック掛け７７ａは、本発明に係る第一固定具受けの一例である。
【００２８】
図４に示すように、フック掛け７７ｂは、前窓５の開放時においてブラケット７３から引き出されたサンシェード７１のフック７５を引っ掛けるための部材である。ここでは、フック掛け７７ｂは、引き出されたサンシェード７１が天窓６の全体を覆うように、前窓５の下フレームに設けられている。なお、フック掛け７７ｂは、本発明に係る第二固定具受けの一例である。
【００２９】
図５の斜視図に示すように、ブラケット７３には、前窓５上部の横フレームにブラケット７３を取り付けるためのボルト孔７３１ｈが板７３１の左右２箇所に形成されている。
【００３０】
また、ブラケット７３には、板７３１の後側に立設する２枚の板７３２Ｌ，７３２Ｒに跨って回転可能に設けられた芯７８と、同じく２枚の板７３２Ｌ，７３２Ｒに跨って回転可能に設けられた２本のローラ７９ａ，７９ｂとが設けられている。また、板７３１に対しては、２枚の板７３２Ｌ，７３２Ｒと直交するように板７３３が立設されている。
【００３１】
図６に示すように、芯７８には、サンシェード７１の基端部７１ｂが固定されている。また、芯７８には、ぜんまいばね（不図示）が設けられており、サンシェード７１を巻き取る方向ＤＲに力が常時付与されている。そのため、サンシェード７１の引き出し側端部７１ｅを固定しない状態では、サンシェード７１は自動的に巻き取られ、ブラケット７３に収まるように構成されている。
【００３２】
また、図６に示すように、ローラ７９ａ，７９ｂは、ブラケット７３の取り出し口に設けられ、サンシェード７１の引き出し伴って回転する。ローラ７９ａはサンシェード７１の面ＡＳ１に接しており、ローラ７９ｂはサンシェード７１の面ＡＳ２に接している。そのため、サンシェード７１は、ブラケット７３から取り出される際、ローラ７９ａ，７９ｂにより挟持された状態で支持される。なお、ローラ７９ａ，７９ｂは、本発明に係る第一ローラ及び第二ローラの一例である。
【００３３】
前窓５の閉塞時（図３）において、図７に示すように、ブラケット７３は、前窓５に固定された板７３１が略鉛直で、板７３３が略水平となっている。この状態で、サンシェード７１の引き出し側端部７１ｅがフック掛け７７ａの方向へ引き出されると、サンシェード７１は、ローラ７９ａ側に若干屈曲した状態で引き出される。
【００３４】
一方、前窓５の開放時（図４）においては、図８に示すように、ブラケット７３は、図７の状態から時計回りに略９０度回動した状態となっており、板７３１が略水平で、板７３３が略鉛直となっている。この状態で、サンシェード７１の引き出し側端部７１ｅがフック掛け７７ｂの方向へ引き出されると、サンシェード７１は、ローラ７９ｂ側に大きく屈曲した状態で引き出される。このとき、サンシェード７１がローラ７９ｂに支持されることによって、板７３３の端部７３３Ｅにサンシェード７１が引っ掛かることが防止される。
【００３５】
以上のように、本実施形態では、開閉式の前窓５と天窓６とを備える運転室４にサンシェード装置７が設けられている。そして、前窓５の閉塞時においては、図３に示すように、ブラケット７３から引き出されたサンシェード７１のフック７５がフック掛け７７ａに引っ掛けられて固定される。また、前窓５の開放時においては、図４に示すように、ブラケット７３から引き出されたサンシェード７１のフック７５がフック掛け７７ｂに引っ掛けられて固定される。そのため、前窓５の開閉状態にかかわらず、天窓６から差し込む日光を遮光することが可能である。
【００３６】
また、本実施形態では、ブラケット７３の取り出し口には、ローラ７９ａ，７９ｂが設けられているため、サンシェード７１をブラケット７３からスムーズに取り出すことが可能である。特に、ローラ７９ａ，７９ｂは、サンシェード７１の引き出しに伴って回転するため、サンシェード７１を非常に滑らかに取り出すことが可能である。
【００３７】
また、本実施形態では、フック掛け７７ｂは、前窓５の開放時に引き出されたサンシェード７１が天窓６の全体を覆う位置（具体的には、前窓５の下フレーム）に設けられている。そのため、天窓６から差し込む日光をより確実に遮光することが可能である。
【００３８】
また、図９に示すように、本実施形態では、前窓５の閉塞時において、サンシェード７１を下方に引き出して、フック７５をフック掛け７７ｂに引っ掛けて固定することもできる。この場合、作業停止中等、必要に応じて前窓を遮光することができる。
【００３９】
本発明によるサンシェード装置は上述した実施の形態に限定されず、特許請求の範囲に記載した範囲で種々の変形や改良が可能である。
【００４０】
例えば、上記実施形態では、引き出されたサンシェード７１を固定する固定具としてフック７５を用いる場合を例示したが、これに限定されず、当該固定具として磁石や面ファスナー等を用いるようにしてもよい。
【００４１】
また、上記実施形態では、前窓５の開放時に引き出されたサンシェード７１が天窓６の全体を覆うように、フック掛け７７ｂが前窓５の下フレームに設けられる場合を例示したが、これに限定されない。
【００４２】
例えば、図１０に示すように、前窓５の開放時に引き出されたサンシェード７１が天窓６の一部を覆うように、フック掛け７７ｃを前窓５の左右の縦フレームに設けるようにしてもよい。これによれば、天窓６から差し込む日光を遮光しつつ、天窓６のうちサンシェード７１に覆われていない部分から外部を視認することが可能である。
【００４３】
なお、フック掛け７７ｃの位置は、特に限定されない。即ち、ブラケット７３よりも下端側であって、前窓５の開放時に引き出されたサンシェード７１が天窓６の少なくとも一部を覆うような位置にあればよい。
【００４４】
また、上記実施形態では、前窓５上部の横フレームにブラケット７３が設けられていたが、前窓５の左右の縦フレームに跨るようにブラケットを設けてもよい。即ち、ブラケット７３の位置は、必ずしも前窓５の上端部でなくてもよく、適宜設定してよい。
【産業上の利用可能性】
【００４５】
以上のように本発明にかかるサンシェード装置は、例えば、開閉式の前窓と天窓とを備える建設機械の運転室に設けるのに適している。
【符号の説明】
【００４６】
１  油圧ショベル、２  下部走行体、３  機械本体、４  運転室、４Ｆ  運転室前面、
４Ｕ  運転室天井、５  前窓、６  天窓、７  サンシェード装置、８  ガイドレール、
５１，５２  ローラ、７１  サンシェード、７１ｂ  基端部、７１ｅ  引き出し側端部、
７３  ブラケット、７５  フック、フック掛け７７ａ，７７ｂ，７８  芯、
７９ａ，７９ｂ  ローラ、７３１，７３３  板、７３１ｈ  ボルト孔、
７３２Ｌ，７３２Ｒ  板、ＡＳ１，ＡＳ２  面、ＤＲ  方向
【図１】
0006413683.tif 000002
【図２】
0006413683.tif 000003
【図３】
0006413683.tif 000004
【図４】
0006413683.tif 000005
【図５】
0006413683.tif 000006
【図６】
0006413683.tif 000007
【図７】
0006413683.tif 000008
【図８】
0006413683.tif 000009
【図９】
0006413683.tif 000010
【図１０】
0006413683.tif 000011